【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
レーザ発生デバイスによってターゲットへ送り込まれるレーザ・エネルギー量を安定させる方法であって、この方法は
ある期間にわたって、前記レーザ発生デバイスからターゲットに、または、ターゲットの近くに到達する前記送出レーザ・エネルギー量を測定するステップと、
所定期間にわたって、前記送出エネルギー量の減少を計算するステップと、
前記ターゲットに到達する前記送出レーザ・エネルギー量を安定させるために、前記減少を補償するように前記レーザ発生デバイスを調整するステップと、
から構成されることを特徴とする方法。
【請求項２】
前記送出レーザ・エネルギー量を測定するステップは、前記ターゲットに、または、前記ターゲットの近くに配置されたレーザ・エネルギー計量器によって測定するステップを有することを特徴とする請求項１に記載の方法。
【請求項３】
前記レーザ・エネルギー計量器は、前記ターゲットから見て、部分的に透明なレンズまたはミラーの反対側に配置されることを特徴とする請求項２に記載の方法。
【請求項４】
前記送出レーザ・エネルギー量を測定するステップは、レーザ・エネルギーの複数のパルスの送出エネルギーを測定するステップ有することを特徴とする請求項１に記載の方法。
【請求項５】
前記送出レーザ・エネルギー量は、レーザ・エネルギーの連続波の送出エネルギーを測定するステップを有することを特徴とする請求項１に記載の方法。
【請求項６】
前記送出エネルギー量の前記減少を計算するステップは、送出経路に沿った前記レーザ・エネルギーの通過によって引き起こされる減少を計算するステップを有し、前記レーザ・エネルギーの通過によって、前記送出経路に沿って少なくとも１つの物質の蓄積が引き起こされ、前記物質は、前記レーザ・エネルギーの後続の通過を妨げることを特徴とする請求項１に記載の方法。
【請求項７】
前記少なくとも１つの物質はオゾンを含み、前記送出経路に沿った前記レーザ・エネルギーの通過によって、ある量の酸素がオゾンに変換されることを特徴とする請求項６に記載の方法。
【請求項８】
前記送出エネルギー量の前記減少を計算するステップは、直前に放出されたレーザ・エネルギー・パルスに比較して、レーザ・エネルギー・パルスの送出エネルギーの減少を計算するステップを有することを特徴とする請求項６に記載の方法。
【請求項９】
前記減少を計算するステップは、
前記レーザ・エネルギーの前記送出経路における１つまたは複数の物質の蓄積によって引き起こされる減少量を計算するステップと、
前記レーザ・エネルギーのパルス間の時間の要因による前記蓄積によって引き起こされる前記減少量を減らすステップを有し、前記時間は、前記物質の消散を可能にすることを特徴とする請求項８に記載の方法。
【請求項１０】
前記レーザ発生デバイスを調整するステップは、前記経路に沿った前記レーザ・エネルギーの通過によって引き起こされる前記レーザ・エネルギーの送出経路に沿った少なくとも１つの物質の蓄積を補償するために、所定期間にわたって、前記レーザ発生デバイスから供給されるレーザ・エネルギー量を増加させるステップを有することを特徴とする請求項１に記載の方法。
【請求項１１】
前記レーザ発生デバイスは、前記送出経路に沿ったオゾンの蓄積を補償するように調整されることを特徴とする請求項１０に記載の方法。
【請求項１２】
前記レーザ発生デバイスを調整するステップは、レーザ・エネルギーのパルス間の時間を補償するために、前記供給レーザ・エネルギー量の増加を減少させるステップをさらに含み、前記時間は、前記物質の消散を可能にすることを特徴とする請求項１０に記載の方法。
【請求項１３】
前記測定ステップ、計算するステップ、調整するステップは前記レーザ発生デバイスについての較正手順中に実施されることを特徴とする請求項１に記載の方法。
【請求項１４】
レーザ・エネルギーを前記レーザ発生デバイスから前記ターゲットに向けて誘導するステップをさらに有することを特徴とする請求項１に記載の方法。
【請求項１５】
前記誘導レーザ・エネルギーは、パルス駆動式レーザ・エネルギーを有することを特徴とする請求項１４に記載の方法。
【請求項１６】
前記誘導レーザ・エネルギーは、連続波レーザ・エネルギーを有することを特徴とする請求項１４に記載の方法。
【請求項１７】
レーザ眼科手術を実施するシステムであって、
レーザ・エネルギー発生デバイスと、
前記レーザ・エネルギー・デバイスの送出エネルギーを測定するための、ターゲットに、または、ターゲットの近くに配設されたレーザ・エネルギー測定デバイスと、
前記レーザ・エネルギー発生デバイスと前記レーザ・エネルギー測定デバイスに結合し、レーザ・エネルギー送出経路に沿った１つまたは複数の物質の蓄積を補償するために、前記レーザ・エネルギー発生デバイスに対する調整を計算し、また、前記レーザ眼科手術のターゲットに到達する送出レーザ・エネルギー量を安定させるために、前記レーザ・エネルギー発生デバイスを調整するためのプロセッサと、
を備えることを特徴とするシステム。
【請求項１８】
前記レーザ・エネルギー発生デバイスは、パルス駆動式レーザ・エネルギーを供給することを特徴とする請求項１７に記載のシステム。
【請求項１９】
前記レーザ・エネルギー発生デバイスは、連続波レーザ・エネルギーを供給することを特徴とする請求項１７に記載のシステム。
【請求項２０】
前記プロセッサは、前記レーザ眼科手術を実施する前に較正されることを特徴とする請求項１７に記載のシステム。
【請求項２１】
前記プロセッサは、前記物質の蓄積を補償するように、前記レーザ・エネルギー・デバイスによって供給されるレーザ・エネルギー量を増加させ、前記レーザ・エネルギーのパルス間の時間を補償するように、前記供給レーザ・エネルギーを減少させ、前記時間は、前記物質の消散を可能にすることを特徴とする請求項１７に記載のシステム。
【請求項２２】
前記プロセッサは、前記送出経路に沿ったオゾンの蓄積を補償するように、前記レーザ・エネルギー発生デバイスを調整することを特徴とする請求項１７に記載のシステム。
【請求項２３】
レーザ眼科手術を実施するシステムであって、
レーザ・エネルギー発生デバイスと、
前記レーザ・エネルギー発生デバイスに結合し、レーザ・エネルギー送出経路に沿った１つまたは複数の物質の蓄積を補償するために、前記レーザ・エネルギー発生デバイスに対する調整を計算し、また、前記レーザ眼科手術のターゲットに到達する送出レーザ・エネルギー量を安定させるために、前記レーザ・エネルギー発生デバイスを調整するためのプロセッサとを備え、
前記プロセッサは、前記レーザ眼科手術を実施する前に較正されるステップを有することを特徴とするシステム。
【請求項２４】
前記較正されるステップは、
ある所定期間にわたって、前記レーザ・エネルギー発生デバイスからターゲットに、またはターゲット近くに到達する送出されたレーザ・エネルギー量を測定するステップと、
ある所定期間にわたって、送出エネルギー量の減少を計算するステップと、
ターゲットに到達する送出レーザ・エネルギー量を安定させるために、減少を補償するようにレーザ発生デバイスを調整するステップと、
から構成されることを特徴とする請求項２０または２３記載のシステム。